(57)【特許請求の範囲】
【請求項１】
基礎面から複数の床支持脚により所定高さに床材を支持し、床支持脚の下端部に緩衝材を設けた二重床構造において、
上記基礎面の上方に設けられる水平状の保持部の下部位置に、この保持部を貫通する支持部材に挿通した状態で、上記基礎面と床材との間を連結し、圧縮力の調節が可能な弾性を有する第一の防振体を介在させて、この第一の防振体の反発力を上記基礎面と床材との間に張力として作用させ、床衝撃による床材の上方向の振動を防振するとともに、上記保持部の上部位置に上記支持部材に挿通した状態で、圧縮力の調節が可能な弾性を有する第二の防振体を介在させて、この第二の防振体の反発力の作用により、床衝撃による床材の下方向の振動を防振する床防振部材を設けたことを特徴とする二重床防振構造。
【請求項２】
基礎面に固定される固定部から立ち上がった位置に水平な保持部を形成し、この保持部に係止部が設けられた固定部材と、
床材の裏面に固定され、上下に貫通する螺孔が設けられた受け部材と、
この受け部材の螺孔に高さ調整可能に螺入される支持部材と、
この支持部材の下端部が螺入可能な調整部材と、
この調整部材が回転可能に取り付けられる上部取付面、この上部取付面の下方に設けられ係止部が形成された下部取付面からなる中間部材と、
この中間部材の係止部と上記固定部材の係止部とに係止させて所定の引張力を加え、上記基礎面と上記床材との間に張力を作用させる弾性のある防振体と、を有することを特徴とする床防振部材。
【請求項３】
基礎面に固定される固定部から立ち上がった位置に水平な保持部を形成し、この保持部に係合孔が設けられた固定部材と、
床材の裏面に固定され、上下に貫通する螺孔が設けられた受け部材と、
軸体の下部に係合部が設けられ、この軸体を上記固定部材の係合孔に挿通して軸体の上部が上記受け部材の螺孔に高さ調整可能に螺入される支持部材と、
この支持部材に挿通され、上記固定部材の保持部と上記支持部材の係合部との間に介在させて所定の圧縮力を加え、上記基礎面と上記床材との間に張力を作用させる弾性のある第一の防振体と、
上記支持部材に挿通され、上記固定部材の保持部の上部と上記支持部材に螺合する雌ねじ体との間に介在させて、上記床材に反発力を作用させる弾性のある第二の防振体と、を有することを特徴とする床防振部材。
【請求項４】
基礎面に固定される固定部から上方に膨出し、中央に孔部を有する保持部が形成された固定部材と、
床材の裏面に固定され、上下に貫通する螺孔が設けられた受け部材と、
軸体の下部に拡径した係合部が設けられ、この軸体の上部を上記受け部材の螺孔に高さ調整可能に螺入される支持部材と、
中央に保持孔が設けられた上面部、筒部及び縁部を有するハット形状をなし、この保持孔に上記支持部材の軸体を挿通し、上記固定部材の孔部にこの筒部を突入させ、この縁部を上記保持部で押圧保持し、上記筒部に所定の引張力を加えて上記基礎面と上記床材との間に張力を作用させる弾性のある防振体と、を有することを特徴とする床防振部材。
【発明の詳細な説明】
【０００１】
【発明の属する技術分野】
本発明は、基礎面から所定の高さに床材を配置した二重床の防振構造及び床防振部材に関する。
【０００２】
【従来の技術】
従来、集合住宅、公共施設、オフィス等の二重床構造においては、床の支持脚等にクッションゴムなどの緩衝体を介在させ、衝撃が加わる方向への圧縮による緩衝効果により振動を減衰させていた。この衝撃減衰により、一時的に加わる直接衝撃を階下に伝え難くする。しかし、上記緩衝体を介在させる構造の場合には、二重床自体の振動により発生する上方向の曲げ波を抑制する効果は期待できない。
【０００３】
これに対して、図１０に示す二重床構造が開示されている（特開２００２−４５５４）。この二重床の基本形態は、床スラブ２３０上に配置した緩衝材からなる台座２３２に支持脚２３４を固定し、床材２３６を支持脚２３４の上に配置したものである。この二重床では、さらに弾性部材からなる防振ダンパー２３８の上下各端部を、床スラブ２３０と床材２３６に固定し、固定床スラブ２３０と床材２３６とを引張状態で連結するように配置する。
【０００４】
これによれば、衝撃源が床表面２４０に衝突した際に床全体が撓むが、この反動で撓んだ方向と逆方向に振動する際に、上記防振ダンパー２３８の作用により振幅が抑制され、この結果振動が防振されることになる。
【０００５】
【発明が解決しようとする課題】
さて、上記二重床構造で用いられている防振ダンパーは、下端部を固定金具で固定し、上部は床材の一部を貫通させ、上部を止め金具で固定した程度の構造である。このため、防振ダンパー自体の構造が具体性に欠け、これをそのまま床構造に採用するには問題があり、また張力の調節等の配慮も不十分で施工性にも問題がある。
【０００６】
本発明は、上記問題点に鑑みてなされたものであり、床衝撃に対する防振効果に優れるとともに施工性の良い二重床防振構造及び床防振部材を提供することを目的とする。
【０００７】
【課題を解決するための手段】
以上の技術的課題を解決するため、本発明に係る二重床防振構造は、図１に示すように、基礎面２から複数の床支持脚により所定高さに床材６を支持し、床支持脚の下端部に緩衝材を設けた二重床構造において、上記基礎面２と床材６との間を連結し、張力の調節が可能な弾性を有する防振体を介在させて、この防振体の張力を上記基礎面と床材との間に作用させ、床衝撃による床材の上方向の振動を防振する床防振部材２０を設けたことである。
【０００８】
本発明に係る二重床防振構造は、基礎面から複数の床支持脚により所定高さに床材を支持し、床支持脚の下端部に緩衝材を設けた二重床構造において、上記基礎面と床材との間を連結し、圧縮力の調節が可能な弾性を有する防振体を介在させて、この防振体の反発力を上記基礎面と床材との間に張力として作用させ、床衝撃による床材の上方向の振動を防振する床防振部材２０を設けたことである。
【０００９】
本発明に係る二重床防振構造は、基礎面から複数の床支持脚により所定高さに床材を支持し、床支持脚の下端部に緩衝材を設けた二重床構造において、上記基礎面と床材との間を連結し、圧縮力の調節が可能な弾性を有する第一の防振体を介在させて、この第一の防振体の反発力を上記基礎面と床材との間に張力として作用させ、床衝撃による床材の上方向の振動を防振するとともに、圧縮力の調節が可能な弾性を有する第二の防振体を介在させて、この第二の防振体の反発力を上記基礎面と床材との間に圧力として作用させ、床衝撃による床材の下方向の振動を防振する床防振部材２０を設けたことである。
【００１０】
本発明に係る床防振部材は、図３乃至図５に示すように、基礎面２に固定される固定部から立ち上がった位置に水平な保持部を形成し、この保持部に係止部３９，７７が設けられた固定部材２４，６４と、床材６の裏面に固定され、上下に貫通する螺孔が設けられた受け部材３４，７４と、この受け部材の螺孔に高さ調整可能に螺入される支持部材３２，７２と、この支持部材の下端部が螺入可能な調整部材３０，７０と、この調整部材が回転可能に取り付けられる上部取付面、この上部取付面の下方に設けられ係止部が形成された下部取付面からなる中間部材２８，６８と、この中間部材の係止部４８，８９と上記固定部材の係止部とに係止させて所定の引張力を加え、上記基礎面と上記床材との間に張力を作用させる弾性のある防振体２６，６６と、を有することである。
【００１１】
本発明に係る床防振部材は、図６及び図７に示すように、基礎面２に固定される固定部から立ち上がった位置に水平な保持部１１７，１４４を形成し、この保持部に係合孔１１６，１４６が設けられた固定部材１０４，１３４と、床材６の裏面に固定され、上下に貫通する螺孔が設けられた受け部材１１２，１４２と、軸体の下部に係合部が設けられ、この軸体を上記固定部材の係合孔に挿通して軸体の上部が上記受け部材の螺孔に高さ調整可能に螺入される支持部材１１０，１４０と、この支持部材に挿通され、上記固定部材の保持部と上記支持部材の係合部との間に介在させて所定の圧縮力を加え、上記基礎面と上記床材との間に張力を作用させる弾性のある防振体１０８，１３８と、を有することである。
【００１２】
本発明に係る床防振部材は、図８に示すように、基礎面２に固定される固定部から立ち上がった位置に水平な保持部１８０を形成し、この保持部に係合孔が設けられた固定部材１６６と、床材６の裏面に固定され、上下に貫通する螺孔が設けられた受け部材１７８と、軸体の下部に係合部が設けられ、この軸体を上記固定部材の係合孔に挿通して軸体の上部が上記受け部材の螺孔に高さ調整可能に螺入される支持部材１７４と、この支持部材に挿通され、上記固定部材の保持部の下部と上記支持部材の係合部との間に介在させて所定の圧縮力を加え、上記基礎面と上記床材との間に張力を作用させる弾性のある第一の防振体１７０と、上記支持部材に挿通され、上記固定部材の保持部の上部と上記支持部材に螺合する雌ねじ体との間に介在させて所定の圧縮力を加え、上記基礎面と上記床材との間に圧力を作用させる弾性のある第二の防振体１７２と、を有することである。
【００１３】
本発明に係る床防振部材は、図９に示すように、基礎面２に固定される固定部から上方に膨出し、中央に孔部を有する保持部が形成された固定部材２０４と、床材６の裏面に固定され、上下に貫通する螺孔が設けられた受け部材２１０と、軸体の下部に拡径した係合部が設けられ、この軸体の上部を上記受け部材の螺孔に高さ調整可能に螺入される支持部材２０８と、中央に保持孔が設けられた上面部、筒部及び縁部を有するハット形状をなし、この保持孔に上記支持部材の軸体を挿通し、上記固定部材の孔部にこの筒部を突入させ、この縁部を上記保持部で押圧保持し、上記筒部に所定の引張力を加えて上記基礎面と上記床材との間に張力を作用させる弾性のある防振体２０６と、を有することである。
【００１４】
【発明の実施の形態】
以下、本発明に係る実施の形態を図面に基づいて説明する。図１（ａ）（ｂ）（ｃ）は、床防振部材としての床防振ダンパーを用いた二重床防振構造を示す。この二重床防振構造は、床スラブ面２から複数の床支持脚４により所定高さに床材６が支持された二重床構造を構成している。上記床支持脚４は緩衝材として弾性のある台座８、支持部材１０に高さ調節可能に取り付けられた受け具１２からなる。また、床材６は、パーチクルボードの基礎板１４、合板製の下張１６、及び床の仕上げ用の化粧板１８からなる。
【００１５】
上記二重床防振構造では、さらに床支持脚４間に床防振ダンパー２０ａ，２０ｂ，２０ｃが配置されている。これら床防振ダンパー２０には、天然ゴム、合成ゴム、エラストマー等からなる弾性部材が介在されている。この床防振ダンパー２０の基本構造は、図１（ａ）の引張型の床防振ダンパー２０ａ構造と、図１（ｂ）の圧縮型の床防振ダンパー２０ｂ構造とに分けることができる。この圧縮防振ダンパーの構造は、さらに図１（ｃ）の防振体を二つ用いた圧縮二層防振ダンパー２０ｃ構造がある。
【００１６】
引張防振ダンパー２０ａは、弾性部材の張力を利用し、床材６の上方向の振動を防振する構造であり、圧縮防振ダンパー２０ｂは、圧縮した弾性部材の反発力を張力として利用し、床材６の上方向の振動を防振する構造である。圧縮二層防振ダンパー２０ｃは、圧縮した弾性部材の反発力を張力及び圧力として利用し、床材６の上下方向のどちらの振動に対しても防振する構造である。
【００１７】
図２は、集合住宅等の部屋に敷設される二重床防振構造において、上記床支持脚４と床防振ダンパー２０との配置位置を示したものである。この二重床は、隣接配置した矩形状の床材６の周囲（角部或いは隣接部）に上記床支持脚４を配置して床材６を支持する構造である。さらに、上記床防振ダンパー２０を、比較的部屋の中央部であって床支持脚４の近傍に配置する。床防振ダンパー２０を部屋の中央部に配置するのは、重量衝撃が加わった場合床の反発による振幅が大きいために、これを防振する効果を高めるためである。
【００１８】
上記引張型の防振ダンパーとして、図３に示す第一の引張防振ダンパー２２がある。この引張防振ダンパー２２は、固定金具２４、引張型の防振体２６、中間金具２８、かしめ部が設けられたナット体３０、ナイロン製の支持ボルト３２、受け金具３４を有している。
【００１９】
上記固定金具２４は、床スラブ面２に固定される基板部３７、この基板部３７の端部から立ち上がる立上部３８を経て、水平に屈曲し中央に湾曲状に切り欠いた湾曲部３９が設けられた保持部４０からなる。上記防振体２６はゴム等の弾性体からなり、円柱状の基体４１の上下端部にはそれぞれ拡径した係止拡部４２，４３が形成されている。
【００２０】
上記中間金具２８は断面コの字状の部材であり、下板部４４、側板部及び上板部４６を有している。この下板部４４の中央には湾曲状に切り欠かれた湾曲部４８が形成され、上板部４６の中央には孔部４７が設けられ、この上部に配置したナット体３０をかしめて固定する。図４に示すように、ナット体３０の孔の周囲部から筒状にかしめ部４９が突出形成され、このかしめ部４９を上記孔部４７に突入させ、先端部をかしめ、中間金具２８に対してナット体３０は回転自在に取りつけたものである。
【００２１】
上記支持ボルト３２は、上端部に頭部５０が形成され、軸部５１には全体にわたって螺子が刻設されている。受け金具３４は、平板部５２と立設部５４からなり、平板部５２の一方側にはバーリング加工による螺孔５５が設けられている。
【００２２】
この第一の引張防振ダンパー２２の防振体２６は、基体４１が基板部３７の湾曲部３９に嵌入されて係止拡部４３が係止される一方、基体４１の上部の係止拡部４２は中間金具２８の湾曲部４８に嵌入係止される。
【００２３】
上記引張防振ダンパー２２の取付けは、床材６として基礎板１４を敷設する際に行う。予め床材６の裏面部の所定位置に木ビス５７を用いて受け金具３４を固定しておく。取付けに際しては、コンクリートビス３５を用いて固定金具２４の基板部３７を床スラブ面２に固定し、一方受け金具３４に支持ボルト３２を螺着回転して、支持ボルト３２の上下位置を調節する。
【００２４】
さらに、支持ボルト３２の軸部５１の先端部を、中間金具２８に取り付けたナット体３０に螺着し、工具等を用い、中間金具２８に対してナット体３０を回すことで中間金具２８を引き上げ、防振体２６を引っ張り適度の張力を与える。このように支持ボルト３２及びナット体３０の回転操作により、支持ボルト３２の高さを調節し防振体２６の張力を加減する。上記調節後は、接着剤を用いて支持ボルト３２とナット体３０との螺着部を固着して緩みを防止する。この引張防振ダンパー２２は、構造上、床材６の上向きの振動を防振する。
【００２５】
この引張防振ダンパー２２の施工時には防振体２６を引張状態にしておき、床材６に対して適度の下向きの張力を与えておく。この効果として、床面に加わる衝撃に対して、床面が反発する上向き方向の振動を抑制する作用が働き、振動減衰効果が得られる。
【００２６】
図５は第二の引張防振ダンパー６２を示したものである。この引張防振ダンパー６２は、固定金具６４、防振体６６、中間金具６８、ナット体７０、支持ボルト７２、受け金具７４を有し、全体が鋼等の金属製からなる。
【００２７】
上記固定金具６４は断面ハット状で、下端には固定部７８が形成され、ここから立ち上がり水平に屈曲した保持部７６の中央には湾曲状に切り欠かかれた湾曲部７７が設けられている。上記防振体６６はゴム等の弾性体からなり、円柱状の基体８２の上下端部にはそれぞれ拡径した係止部８４，８５が形成されている。
【００２８】
上記中間金具６８は断面コの字状の部材であり、下板部８６側板部及び上板部８８を有している。この下板部８６の中央には湾曲状に切り欠かれた湾曲部８９が形成されている。また下板部８６の両端部は、それぞれ補強のためフランジ部８７が下方に向け屈曲形成されている。上記支持ボルト７２の軸部９０には全体にわたって螺子が刻設されている。受け金具７４の基板部７５の一方側には、バーリング加工による螺孔９２が設けられ、また両側部には、補強のためそれぞれフランジ部９４が上方に屈曲形成されている。
【００２９】
この第二の引張防振ダンパー６２は、固定金具６４の湾曲部７７に防振体６６の基体８２が嵌入し係止部８５に係止される一方、基体８２の上部の係止部８４は中間金具６８の湾曲部８９に係止される。ナット体７０は、上記図４に示すナット体３０と同様かしめ部の先端部をかしめて、中間金具６８に対して回転自在に取りつけている。
【００３０】
引張防振ダンパー６２の取付けに際しては、コンクリートビス３５を用いて固定金具６４の左右の固定部７８を床スラブ面２に固定する。そして、予め床材６の裏面部の所定位置に木ビス５７を用いて固定した受け金具３４に、支持ボルト７２を螺着しこれを回して支持ボルト７２の上下位置を調節する。
【００３１】
さらに、支持ボルト７２の軸部９０の先端部を、中間金具６８に取り付けたナット体７０に螺着し、ナット体７０を回して中間金具６８を引き上げ、防振体６６を引っ張り適度の張力を与える。上記調節後は、接着剤を用いて支持ボルト７２とナット体７０との螺着部を固着して緩みを防止する。この引張防振ダンパー６２は、構造上、床材６の上向きの振動を防振する。
【００３２】
この引張防振ダンパー６２の施工時には防振体６６を引張状態にしておき、床材６に対して適度の下向きの張力を与えておく。この効果として、床面に加わる衝撃に対して、床面が反発する上向き方向の振動を抑制する作用が働き、振動減衰効果が得られる。
【００３３】
図６には、第一の圧縮防振ダンパー１０２が示されている。この圧縮防振ダンパー１０２は、固定金具１０４、ワッシャー１０６、防振体１０８、ナイロン製の支持ボルト１１０、受け金具１１２を有している。
【００３４】
上記固定金具１０４は、固定部１１４、及びこの固定部１１４の端部から立ち上がる立上部１１５を経て水平に屈曲し、中央に係合孔１１６が設けられた保持部１１７からなっている。上記防振体１０８はゴム等の弾性体からなり、全体は略円柱状をなし中心部には上下に貫通孔１１８が形成されている。防振体１０８の上部近傍の外周には、環状の溝部１１９が形成され、また防振体１０８の下面には窪み部１２０が形成されている。
【００３５】
上記支持ボルト１１０は、下端部に頭部１２１が形成され、軸部１２２には全体にわたって螺子が刻設されている。受け金具１１２は、平板部１２４と立設板１２５からなり、平板部１２４にはバーリング加工により螺孔１２６が設けられている。
【００３６】
上記第一の圧縮防振ダンパー１０２は、上記固定部１１４の係合孔１１６に、防振体１０８の環状溝部１１９が嵌装保持されている。そして、防振体１０８の貫通孔１１８には、窪み部１２０に嵌め込まれたワッシャー１０６を介在させ、支持ボルト１１０の軸部１２２が頭部１２１を下にして挿通されている。
【００３７】
この第一の圧縮防振ダンパー１０２の取付けに際しては、固定金具１０４の固定部１１４をコンクリートビス３５を用いて床スラブ面２に固定する。そして、支持ボルト１１０の上部に受け金具１１２を螺着し、この受け金具１１２の平板部１２４の高さを床材６の下面の位置に調節し、木ビス５７を用いて受け金具１１２の立設板１２５を床材６の側面に固定する。さらに、工具等を支持ボルト１１０の上部に係合させ、支持ボルト１１０を回して、その高さを調節することで防振体１０８を、頭部１２１が係合するワッシャー１０６と保持部１１７との間に挟んで押圧し、この防振体１０８に適度な圧縮力を加える。
【００３８】
このように、圧縮防振ダンパー１０２の施工時には防振体１０８を圧縮した状態にしておき、床材６に対して適度の下向きの張力を与えておく。この効果として、床面に加わる衝撃に対して、床面が反発する上向き方向の振動を抑制する作用が働き、振動減衰効果が得られる。この圧縮防振ダンパー１０２は、構造上、防振体１０８の反発力により床材６の上向きの振動を防振する。
【００３９】
図７は第二の圧縮防振ダンパー１３２を示したものである。この圧縮防振ダンパー１３２は、固定金具１３４、座金１３６、防振体１３８、合成樹脂製の支持ボルト１４０、ボードの受け具１４２を有している。
【００４０】
上記固定金具１３４は断面ハット状で、左右の固定部１４８からそれぞれ立ち上がりさらに水平に形成された保持部１４４の中央には係合孔１４６が設けられている。上記防振体１３８はゴム等の弾性体からなり、全体は略円柱状をなし中心部には上下に貫通孔１５２が形成されている。上記支持ボルト１４０は、下端部に拡径した頭部１４１が形成され、軸部１５３には全体にわたって螺子が刻設されている。上記受け具１４２は、中央部に螺孔１５４が設けられた円盤状の部材である。
【００４１】
この第二の圧縮防振ダンパー１３２は、支持ボルト１４０の軸部１５３に環状の座金１３６及び防振体１３８の貫通孔１５２を挿通し、この支持ボルト１４０を固定金具１３４の係合孔１４６に裏面側からさしこみ、軸部１５３に受け具１４２を螺着した組み合せからなる。
【００４２】
上記圧縮防振ダンパー１３２の取付けに際しては、固定金具１３４の固定部１４８をコンクリートビス３５を用いて床スラブ面２に固定する。そして、固定金具１３４の係合孔１４６の下部に防振体１３８を介在させ、予め床材６の裏面部に木ビス５７を用いて固定された受け具１４２に、上記防振体１３８及び固定金具１３４の係合孔１４６を通過させた支持ボルト１４０の軸部１５３を螺合する。さらに、支持ボルト１４０の上部に工具を係合させ、支持ボルト１４０を回してその高さを調節することで、防振体１３８を、頭部１４１が係合する座金１３６と固定金具１３４の保持部１４４との間に挟んで押圧し、この防振体１３８に適度な圧縮力を加える。
【００４３】
この圧縮防振ダンパー１３２の施工時には防振体１３８を圧縮した状態にしておき、床材６に対して適度の下向きの張力を与えておく。この効果として、床面に加わる衝撃に対して、床面が反発する上向き方向の振動を抑制する作用が働き、振動減衰効果が得られる。この圧縮防振ダンパー１３２は、構造上、防振体１３８の反発力により床材６の上向きの振動を防振する。
【００４４】
図８は、上記圧縮二層防振ダンパー１６２を示したものである。この圧縮二層防振ダンパー１６２は、基本的には上記圧縮防振ダンパー１３２に、さらに床材６の下向きの振動を防振する防振体を追加して二層構造にしたものである。この圧縮二層防振ダンパー１６２は、固定金具１６６、座金１６８、第一の防振体１７０、第二の防振体１７２、合成樹脂製の支持ボルト１７４、ワッシャーナット１７６、ボードの受け具１７８を有している。
【００４５】
上記固定金具１６６は断面ハット状で、左右の固定部１８２からそれぞれ立ち上がりさらに水平に形成された保持部１８０の中央には孔部１８１が設けられている。上記第一の防振体１７０はゴム等の弾性体からなり、全体は略円柱状をなし中心部には上下に貫通孔１８４が形成されている。上記第二の防振体１７２は、第一の防振体１７０と同様に、ゴム等の弾性体からなり、全体は略円柱状をなし中心部には上下に貫通孔１８６が形成されている。
【００４６】
上記支持ボルト１７４は、下端部には拡径した頭部１８８が形成され、軸部１８９には全体にわたって螺子が刻設されている。上記ワッシャーナット１７６は、円板状で中央に螺孔１９０が形成されている。上記第二の防振体１７２は、ワッシャーナット１７６の下面部に、それぞれの孔を一致させて加硫接着により固着されている。上記受け具１７８は、中央部に螺孔１９２が設けられた円盤状の部材である。
【００４７】
この圧縮二層防振ダンパー１６２は、支持ボルト１７４の軸部１８９に環状の座金１６８及び第一の防振体１７０を挿通し、この支持ボルト１７４を固定金具１６６の孔部１８１に裏面側からさしこみ、さらに固定金具１６６の上部の第二の防振体１７２を挿通してワッシャーナット１７６を螺着し、軸部１８９の上部にボード受け具１７８を螺着した組み合せからなる。
【００４８】
圧縮二層防振ダンパー１６２の取付けに際しては、固定金具１６６の左右の固定部１８２をコンクリートビス３５を用いて床スラブ面２に固定する。そして、予め床材６の裏面部に木ビス５７を用いて固定されたボード受け具１７８に、上記第一の防振体１７０及び第二の防振体１７２を介在させた支持ボルト１７４の上部を螺合する。
【００４９】
さらに、支持ボルト１７４の上端部に工具を係合させ、これを回して支持ボルト１７４の位置を調節することで第一の防振体１７０を、座金１６８と固定金具１６６の保持部１８０との間に挟んで押圧し、第一の防振体１７０を適度に圧縮する。さらに、ワッシャーナット１７６を回して第二の防振体１７２を固定金具１６６の保持部１８０に押圧し、第二の防振体１７２を適度に圧縮する。
【００５０】
上記圧縮二層防振ダンパー１６２の施工時には第一の防振体１７０を圧縮した状態にしておき、床材６に対して適度の下向きの張力を与えておく。また、第二の防振体１７２を圧縮して、一般の床支持脚４と同様な押圧力を与えておく。
【００５１】
この圧縮二層防振ダンパー１６２は、床材６が上下振動した場合、床材６の上方向の振動に対しては、第一の防振体１７０が作用してこの振動を防振する一方、床材６の下方向の振動に対しては、第二の防振体１７２が作用してこの振動を防振する。この第二の防振体１７２は、一般の床支持脚４に介在させる緩衝材と同様な機能を有するものである。
【００５２】
このため、圧縮二層防振ダンパー１６２を配置することは、上記圧縮防振ダンパー１３２と、これと同じ場所に通常の床支持脚４を配置したのと同様の効果を発揮するので、一般の床支持脚４の削減が可能となる。このように、上記圧縮二層防振ダンパー１６２は、床面に加わる衝撃に対して、床面が撓む下向き及び床面が反発する上向きの両方向の振動を抑制する作用が働き、振動減衰効果が得られる。社内試験によれば、この圧縮二層防振ダンパー１６２を用いた二重床においては、重量床衝撃音の遮音性能のみならず、軽量床衝撃音の遮音性能についても良好な結果が得られている。
【００５３】
図９は第三の引張防振ダンパー２０２を示したものである。この引張防振ダンパー２０２は、固定金具２０４、筒状の防振体２０６、合成樹脂製の支持ボルト２０８、ボードの受け具２１０を有している。
【００５４】
上記固定金具２０４は、上方に円形状に膨出した形状で、円形の上面部２１２には孔部２１３が設けられる一方、下部の左右にはそれぞれ平坦な固定部２１４が形成された形状である。上記防振体２０６は、全体がハット形状をなし、円形状の上面部２１６、筒部２１７、及び下端部の周囲に縁部２１８を有し、この上面部２１６には円形の保持孔２１９が設けられている。上記支持ボルト２０８は、下端部に拡径した頭部２２０が形成され、軸部２２１には全体にわたって螺子が刻設されている。上記受け具２１０は、中央部に螺孔２２２が設けられた円盤状の部材である。
【００５５】
上記防振体２０６の保持孔２１９は、支持ボルト２０８の軸部２２１と同程度の径であり、防振体２０６の保持孔２１９に挿入した支持ボルト２０８は、その頭部２２０が防振体２０６の上面部２１６に下方から係止する。また、上記固定金具２０４の孔部２１３の内径は、上記防振体２０６の筒部２１７の外径と略同じであり、固定金具２０４の孔部２１３に突入させた防振体２０６の縁部２１８は、固定金具２０４の上面部２１２に係止保持される。
【００５６】
上記第三の引張防振ダンパー２０２の取付けに際しては、固定金具２０４の固定部２１４をコンクリートビス３５を用いて床スラブ面２に固定する。そして、予め床材６の裏面部に木ビス５７を用いて固定された受け具２１０に、防振体２０６に挿通した支持ボルト２０８を螺合する。さらに、工具等を用いて支持ボルト２０８を回して支持ボルト２０８の位置調節を行ない、支持ボルト２０８の頭部２２０を保持孔２１９に係合させて引張力を加え、筒部２１７を適度に引張する。
【００５７】
このように、引張防振ダンパー２０２の施工時には防振体２０６を引張状態にしておき、床材６に対して適度の下向きの張力を与えておく。この効果として、床面に加わる衝撃に対して、床面が反発する上向き方向の振動を抑制する作用が働き、振動減衰効果が得られる。
【００５８】
従って、上記実施の形態によれば、床面に加わる衝撃に対して、撓んだ床面が反発する上向き方向の振動を抑制する作用、また構造により床面が撓む下向き方向の振動を抑制する作用が働き、振動減衰効果が得られる。特に、二重床防振構造の振動抑制効果により振動時間が短縮され、重量床衝撃音の遮断性能が向上でき、従来困難であった低周波数帯域に有効である。
【００５９】
【発明の効果】
以上説明したように、本発明に係る二重床防振構造によれば、上記基礎面と床材との間を連結し、張力の調節、又は圧縮力の調節が可能な防振体を介在させて張力を作用させる手段を用いたから、床面に加わる衝撃に対して、撓んだ床面が反発する上向き方向の振動を抑制する作用が働き、振動減衰効果が得られ、特に重量床衝撃音の遮断性能を向上できるという効果を奏する。
【００６０】
また、本発明に係る二重床防振構造によれば、圧縮力の調節が可能な第一の防振体及び第二の防振体を介在させて、張力及び圧力を作用させる手段を用いたから、床面に加わる衝撃に対して、撓んだ床面が反発する上向き、及び撓む下向き方向の振動を抑制する作用が働き、上下方向の振動減衰効果が得られるという効果がある。さらに、この二重床防振構造によれば、重量床衝撃音のみならず軽量床衝撃音の遮断性能を向上できるという効果がある。
【００６１】
本発明に係る床防振部材によれば、中間部材の係止部と固定部材の係止部とに係止させて所定の引張力を加え、また支持部材に挿通され、固定部材の保持部と支持部材の係合部との間に介在させて所定の圧縮力を加え、また固定部材の孔部にこの筒部を突入させ、この縁部を保持部で押圧保持し、所定の張力を加えて、基礎面と床材との間に張力を作用させる弾性のある防振体を有する手段を用いたから、床面に加わる衝撃に対して、撓んだ床面が反発する上向き方向の振動を抑制する作用が働き、振動減衰効果が得られ、特に重量床衝撃音の遮断性能を向上できるという効果を奏する。また、床防振部材の取り付け及び張力の調整も容易で施工性にも優れるという効果がある。
【００６２】
本発明に係る床防振部材によれば、支持部材に挿通され、固定部材の保持部の下部と支持部材の係合部との間に介在させて基礎面と床材との間に張力を作用させる第一の防振体、固定部材の保持部の上部と支持部材に螺合する雌ねじ体との間に介在させて基礎面と床材との間に圧縮力を作用させる第二の防振体を有する手段を用いたから、床面に加わる衝撃に対して、撓んだ床面が反発する上向き、及び撓む下向き方向の振動を抑制する作用が働き、上下方向の振動減衰効果が得られるという効果がある。また、床防振部材の取り付け及び張力、圧力の調整も容易で施工性にも優れるという効果がある。
【図面の簡単な説明】
【図１】本発明の実施の形態に係る床防振ダンパー及びこれを用いた二重床防振構造を示す図であり、（ａ）は引張型の床防振ダンパー、（ｂ）は圧縮型の床防振ダンパー、（ｃ）は圧縮二層防振ダンパーである。
【図２】実施の形態に係る二重床防振構造の平面を説明する図である。
【図３】実施の形態に係る第一の引張防振ダンパーを示す図であり、（ａ）は正面を、（ｂ）は側面を示す図である。
【図４】実施の形態に係る第一の引張防振ダンパーの部分拡大図を示す図である。
【図５】実施の形態に係る第二の引張防振ダンパーを示す図であり、（ａ）は正面を、（ｂ）は側面を示す図である。
【図６】実施の形態に係る第一の圧縮防振ダンパーを示す図であり、（ａ）は正面を、（ｂ）は側面を示す図である。
【図７】実施の形態に係る第二の圧縮防振ダンパーを示す図であり、（ａ）は正面を、（ｂ）は側面を示す図である。
【図８】実施の形態に係る圧縮二層防振ダンパーを示す図であり、（ａ）は側面を、（ｂ）は正面を示す図である。
【図９】実施の形態に係る第三の圧縮防振ダンパーを示す図であり、（ａ）は正面を、（ｂ）は側面を示す図である。
【図１０】従来例に係る二重床構造を示す図である。
【符号の説明】
２  基礎面（床スラブ面）
４  床支持脚
６  床材
２０  床防振部材（床防振ダンパー）
２８，６８  中間部材（中間金具）
２４，６４，１０４，１３４，１６６，２０４  固定部材（固定金具）
２６，６６，１０８，１３８，２０６  防振体
３０，７０  調整部材（ナット体）
３２，７２，１１０，１４０，１７４，２０８  支持部材（支持ボルト）
３４，７４，１１２，１４２，１７８，２１０  受け部材（受け金具，受け具）
３９，４８，７７，８９  係止部（湾曲部）
１１６，１４６  係合孔
１１７，１４４，１８０  保持部
１２１，１４１，１８８  係合部（頭部）
１７０  第一の防振体
１７２  第二の防振体
【図１】
0004009488.tif 000002
【図２】
0004009488.tif 000003
【図３】
0004009488.tif 000004
【図４】
0004009488.tif 000005
【図５】
0004009488.tif 000006
【図６】
0004009488.tif 000007
【図７】
0004009488.tif 000008
【図８】
0004009488.tif 000009
【図９】
0004009488.tif 000010
【図１０】
0004009488.tif 000011